(57)【要約】【課題】静電気の発生を有効に防いで製品の信頼性を高めることができる電子製品の保護膜構造を提供する。【解決手段】電子製品の保護膜構造の保護膜１は、抗静電気層１１と、抗静電気層１１の頂面上に形成された離型層１２と、離型層１２の頂面上に形成された接着層１３と、接着層１３の表面上に形成された表層基材１４とを備える。保護膜１は、枚葉体又は複数を並列させたロール状である。離型層１２は、ＰＥＴ、ＰＣ、ＰＥ、紙類又はガラス繊維からなる。接着層１３は、ＰＵ接着剤、ゴム系接着剤、シリコーン系接着剤又はアクリル系接着剤からなる。表層基材１４は、ＰＥＴ、ＰＣ、ＰＥ、紙類又はガラス繊維からなる。【選択図】図６
0003171555.tif 000002
【実用新案登録請求の範囲】
【請求項１】
電子製品の保護膜構造であって、
前記保護膜は、
抗静電気層と、
前記抗静電気層の頂面上に形成された離型層と、
前記離型層の頂面上に形成された接着層と、
前記接着層の表面上に形成された表層基材と、を備えることを特徴とする電子製品の保護膜構造。
【請求項２】
前記保護膜は、枚葉体又は複数を並列させたロール状であることを特徴とする請求項１に記載の電子製品の保護膜構造。
【請求項３】
前記離型層は、ＰＥＴ、ＰＣ、ＰＥ、紙類又はガラス繊維からなり、
前記接着層は、ＰＵ接着剤、ゴム系接着剤、シリコーン系接着剤又はアクリル系接着剤からなり、
前記表層基材は、ＰＥＴ、ＰＣ、ＰＥ、紙類又はガラス繊維からなることを特徴とする請求項１に記載の電子製品の保護膜構造。
【考案の詳細な説明】
【技術分野】
【０００１】
本考案は、電子製品の保護膜構造に関し、特に、保護膜の最下層（接着層と接触されていない面）に抗静電気層を設け、各保護膜を重ねたり巻き取ったりして保管する際、配置された抗静電気層により、取り出す際に保護膜同士が互いに摩擦しあって静電気が発生することを防ぎ、静電気放電により引き寄せられる周囲の塵により見た目に悪影響を与えたり、静電気により取り扱いが困難となって品質が低下したりすることがないように、静電気の発生を有効に防ぎ、製品の信頼性を高めることができる電子製品の保護膜構造に関する。
【背景技術】
【０００２】
電子科学技術の発展に伴い、携帯電話、カメラ、デジタルビデオカメラ、ノート型パソコンなどの電子製品は日々進歩しており、ユーザが携帯して使用することが便利にできるように、軽量かつ薄型の電子製品が求められている。そのため、これら電子製品に用いる保護膜は、従来のネジにより固定する方式からテープなどにより固定する方式に変化してきている。製造工程及び出荷の際にも大量の保護シートなどの保護膜を使用して製品を保護することが一般的である。従来の電子製品機構の製造工程及び出荷の際に使用される保護膜２，３，４，５（図１〜図４参照）には、少なくとも以下（１）〜（４）のタイプがある。
（１）離型フィルム／紙２１と、離型フィルム／紙２１上に設けられた接着層２２と、接着層２２上に設けられた基材２３と、基材２３上に設けられた抗静電気層２４と、から構成された保護膜。
（２）離型フィルム／紙３１と、離型フィルム／紙３１上に設けられた接着層３２と、接着層３２上に設けられた抗静電気層３３と、抗静電気層３３上に設けられた基材３４と、から構成された保護膜。
（３）離型フィルム／紙４１と、離型フィルム／紙４１上に設けられた抗静電気層４２と、抗静電気層４２上に設けられた接着層４３と、接着層４３上に設けられた基材４４と、から構成された保護膜。
（４）離型フィルム／紙５１と、離型フィルム／紙５１上に設けられた抗静電気接着層５２と、抗静電気接着層５２上に設けられた抗静電気層５３と、から構成された保護膜。
【０００３】
しかし、例えば、図１の保護膜２の場合、静電気放電により外部環境の塵が引きつけられ、見た目に悪影響を与えたり、静電気により取り扱いが困難となることを防ぐことができるが、保護膜２の表面（即ち、接着層２２と接触されていない面）に抗静電気層２４が設けられているため、僅かな導電特性又は抗静電気物質の析出によってもタッチパネルの検査結果に悪影響を与え、従来の保護膜３，４，５は、その抗静電気層３３，４２及び抗静電気接着層５２の設置箇所によっては、保護膜３，４，５を重ねたり巻き取ったりして保管した後でも、取り出す際に保護膜同士が摩擦しあって静電気が発生し、例えば、タッチパネル上に保護膜３，４，５を使用すると、静電気放電により保護膜３，４，５に周囲の塵が引き寄せられて見た目に悪影響を与えたり、静電気により取り扱いが困難となって品質が下がったりし、タッチパネルの操作に悪影響を与える虞がある。
【０００４】
そのため、電子製品の検査結果に悪影響を与えない上、応用したときに製品の信頼性を有効に高めることができる電子製品の保護膜構造が求められていた。
【考案の概要】
【考案が解決しようとする課題】
【０００５】
本考案の目的は、保護膜の最下層（接着層と接触されていない面）に抗静電気層を設け、各保護膜を重ねたり巻き取ったりして保管する際、配置された抗静電気層により、取り出す際に保護膜同士が摩擦しあって静電気が発生することを防ぎ、静電気放電により引き寄せられる周囲の塵により見た目に悪影響を与えたり、静電気により取り扱いが困難となって品質が低下したりすることがないように、静電気の発生を有効に防いで製品の信頼性を高めることができる電子製品の保護膜構造を提供することにある。
【課題を解決するための手段】
【０００６】
上記課題を解決するために、本考案の第１の形態によれば、電子製品の保護膜構造であって、前記保護膜は、抗静電気層と、前記抗静電気層の頂面上に形成された離型層と、前記離型層の頂面上に形成された接着層と、前記接着層の表面上に形成された表層基材と、を備えることを特徴とする電子製品の保護膜構造が提供される。
【０００７】
また、前記保護膜は、枚葉体又は複数を並列させたロール状であることが好ましい。
【０００８】
また、前記離型層は、ＰＥＴ、ＰＣ、ＰＥ、紙類又はガラス繊維からなり、前記接着層は、ＰＵ接着剤、ゴム系接着剤、シリコーン系接着剤又はアクリル系接着剤からなり、前記表層基材は、ＰＥＴ、ＰＣ、ＰＥ、紙類又はガラス繊維からなることが好ましい。
【考案の効果】
【０００９】
本考案の電子製品の保護膜構造は、保護膜の最下層に抗静電気層を設け、各保護膜を重ねたり巻き取ったりして保管する際、配置された抗静電気層により、取り出す際に保護膜同士が摩擦しあって静電気が発生することを防ぐことにより、静電気放電により引き寄せられる周囲の塵により見た目に悪影響を与えたり、静電気により取り扱いが困難となって品質が低下したりすることがないように、静電気の発生を有効に防いで製品の信頼性を高めることができる。
【図面の簡単な説明】
【００１０】
【図１】従来技術の一例を示す断面図である。
【図２】従来技術の一例を示す断面図である。
【図３】従来技術の一例を示す断面図である。
【図４】従来技術の一例を示す断面図である。
【図５】本考案の一実施形態による電子製品の保護膜構造を示す斜視図である。
【図６】図５のＡ部分の部分拡大図である。
【図７】本考案の他の実施形態による電子製品の保護膜構造を示す斜視図である。
【考案を実施するための形態】
【００１１】
以下、本考案の実施形態について図に基づいて説明する。なお、これによって本考案が限定されるものではない。
【００１２】
図５〜図７を参照する。図５〜図７に示すように、本考案の一実施形態による電子製品の保護膜構造の保護膜１は、少なくとも抗静電気層１１、離型層１２、接着層１３及び表層基材１４から構成される。
【００１３】
本実施形態の抗静電気層１１は、抗静電気保護膜により製作されている。
【００１４】
離型層１２は、抗静電気層１１の頂面上に形成され、ＰＥＴ（ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥ（ｐｏｌｙｅｔｈｙｌｅｎｅ）、紙類又はガラス繊維からなってもよい。
【００１５】
接着層１３は、離型層１２の頂面上に形成され、ＰＵ接着剤（ｐｏｌｙｕｒｅｔｈａｎｅ  ａｄｈｅｓｉｖｅ）、ゴム系接着剤、シリコーン系接着剤又はアクリル系接着剤からなってもよい。
【００１６】
表層基材１４は、接着層１３の表面上に形成され、ＰＥＴ（ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥ（ｐｏｌｙｅｔｈｙｌｅｎｅ）、紙類又はガラス繊維からなってもよい。
【００１７】
本実施形態の電子製品の保護膜１は、必要に応じて枚葉体に製作したり（図５参照）、複数の保護膜１ａを並列させてロール状に製作したり（図７参照）してもよい。本実施形態を製造した後、保護膜１の最下層（即ち、離型層１２下で、接着層１３と接触されていない面）に抗静電気層１１を設け、保護膜１を枚葉体に製作して重ねて保管したり、保護膜１ａをロール状に巻き取って保管したりする際、形成された抗静電気層１１により、枚葉体又はロール状の保護膜１，１ａが設けられた電子製品を取り出す際に摩擦が発生して静電気が起きることを防ぐことができる上、本実施形態の抗静電気層１１は、電子製品に設置して使用する前に、保護膜１，１ａの表面から剥がしてもよい。そのため、静電気放電により電子製品自体の品質が低下し、電子製品の操作に悪影響が及ぶことを保護膜１，１ａにより防ぐことができる。このように本考案の電子製品の保護膜構造は、静電気の発生を防いで製品の信頼性を高めることができる。
【００１８】
上述したことから分かるように、本考案の電子製品の保護膜構造は、保護膜の最下層（接着層と接触されていない面）に抗静電気層を設け、各保護膜を重ねたり巻き取ったりして保管する際、配置された抗静電気層により、取り出す際に保護膜同士が摩擦しあって静電気が発生することを防ぎ、静電気放電により引き寄せられる周囲の塵により見た目に悪影響を与えたり、静電気により取り扱いが困難となって品質が低下したりすることがないように、静電気の発生を有効に防いで製品の信頼性を高めることができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１    保護膜
１ａ  保護膜
２    保護膜
３    保護膜
４    保護膜
５    保護膜
１１  抗静電気層
１２  離型層
１３  接着層
１４  表層基材
２１  離型フィルム／紙
２２  接着層
２３  基材
２４  抗静電気層
３１  離型フィルム／紙
３２  接着層
３３  抗静電気層
３４  基材
４１  離型フィルム／紙
４２  抗静電気層
４３  接着層
４４  基材
５１  離型フィルム／紙
５２  抗静電気接着層
５３  抗静電気層
【図１】
0003171555.tif 000003
【図２】
0003171555.tif 000004
【図３】
0003171555.tif 000005
【図４】
0003171555.tif 000006
【図５】
0003171555.tif 000007
【図６】
0003171555.tif 000008
【図７】
0003171555.tif 000009